(57)【要約】【課題】ドアの両側のいづれからでも同じ動作で車椅子のままでドアを押し開き、ドアを閉めるために車椅子の進む方向を変えたり、後退することなく通過し易いドアを提供する。【解決手段】左右の支柱に設けるドア１の支持軸２と，この支持軸より内側に鴨居に設ける支持軸３と前記支持軸２のコ字状軸受け１０及び前記支持軸３の回転軸受け１１によりドア１の左右にドア軸を構成し、ドアを押す時に一方の軸受け１０，１１が支持軸２，３より外れて、他方のドア軸により回転するドアを保持する支持装置を左右両側に備え、支持ローラ１４を有するドアにおいて、ドアの前記の支持軸２，３の軸受け１０，１１はドアに設けた押し開きボタン５を押す時にドアの左右いづれか一方の軸受けがその支持軸２，３から外れてドアがいづれか一方へ開くように構成し、ドア１の両面いづれからでも押し開き、ドアが閉じるようにしたので、両面押し開き可能にした車椅子用ドア。【選択図】図１
2004270284.tif 000002
【特許請求の範囲】
【請求項１】
支柱に設けた支持軸とドアに設けた軸受け及びドア下部に設けたローラにより自重を支持するようにしたドアにおいて、左右支柱に設けたドアの支持軸の内側であってそのドア上部の鴨居に支持軸を設け、それぞれの軸受けをドアに設け、開閉するドアの回転軸を左右独立に機能させることを特徴とする車椅子用ドア。
【請求項２】
ドアの両面のいづれからでも押し開きボタンを押すことによりドアに設けた左右いづれか一方の軸受けをフリーにして、ドアに設けた軸受けから左右の支持軸のどちらか一方の支持軸を外し、他方の支持軸をドア軸にすることによりドアを前方へ開き、開いたドアに懸かる重力で閉じることが出来るようにしたことを特徴とする請求項１に記載の車椅子用ドア。
【請求項３】
押し開きボタンはドアの両面のいづれからでも同じ方向の動作で押し、入る時と出る時にはドアを回転させるドア軸が左右入れ替わるようにしたことを特徴とする請求項１又は請求項２のいづれかの項に記載の車椅子用ドア。
【請求項４】
押し開きボタンをドアの両面のいづれからでも同じ方向の動作で押すことによりドアに設けた軸受けとストッパーが外れて、二つの軸受けの内いづれか一つの軸受けがフリーになるようにしたストッパーを設けて、入る時と出る時にはドアの左右に設けた前記の軸受けのいづれか一方の軸受けと支持軸を係止させるようにしたことにより、ドアの回転軸が左右入れ替わるようにしたことを特徴とする請求項３に記載の車椅子用ドア。
【発明の詳細な説明】
【０００１】
【発明の属する技術分野】本発明に係る車椅子用ドアは、車椅子を利用している身体障害者が車椅子を自力で操作して、ドアを開閉して通過することが容易になるようにしたものである。
【０００２】
【従来の技術】車椅子でドアの開閉作動を容易に出来る工夫をした発明は、特開２００２−１１５４６６号発明の名称「ドア」、特開２００２−００４６８８号発明の名称「ドアストッパ」、特開２００１−１８２４６０号発明の名称「シート開閉式ドア」特開２００１−２２０９４３号発明の名称「双駆軸ドア」等多数の公開特許公報に公開されている。
【０００３】
【発明が解決しようとする課題】本発明は、車椅子の身体障害者が、引き戸を通過する場合には、通過後に車椅子の方向を変えて引き戸を閉め、又、ドアを手前に引いて開ける場合には車椅子を後退させて開ける苦労を解決し、ドアの両側のいづれからでも同じ手向きの動作で通過者が車椅子のままでドアを押し開き、開けたドアを閉めるために車椅子の進む方向を変えたり、後退するなどの動作をすることなく通過することが出来るドアを提供しようとするものである。
【０００４】
【課題を解決するための手段】本発明に係る車椅子用ドアは、入り口左右の支柱に設けるドアの支持軸と，この支持軸より内側に鴨居に設ける支持軸と、ドアに設ける前記支持軸のコ字状軸受け及び前記支持軸の回転軸受けによりドアの両側のいづれか一方から同一方向である前方へドアを押し開き、ドアを押す時に一方の軸受けが支持軸より外れて、前記支持軸のもう一方ドア軸により回転するドアを保持する支持装置を左右両側に備え、ドアの下部に設けた支持ローラを有するドアにおいて、ドアの前記の支持軸の軸受けは、ドアに設けた押し開きボタンを押す時にドアの左右いづれか一方の軸受けがその支持軸から外れて、他方の支持軸をドア軸にしてドアがいづれか一方へ開くように構成し、ドアの両面いづれからでも同一方向である前方へドアを開き、開いたドアが閉じるようにしたものである。
【０００５】請求項１に記載の発明は、支柱に設けた支持軸とドアに設けた軸受け及びドア下部に設けたローラにより自重を支持するようにしたドアにおいて、左右支柱に設けたドアの支持軸の内側であってそのドア上部の鴨居に支持軸を設け、それぞれの軸受けをドアに設け、開閉するドアの回転軸を左右独立に機能させることを特徴とする車椅子用ドアである。
【０００６】請求項２に記載の本発明の実施態様は、ドアの両面のいづれからでも押し開きボタンを押すことによりドアに設けた左右いづれか一方の軸受けをフリーにして、ドアに設けた軸受けから左右の支持軸のどちらか一方の支持軸を外し、他方の支持軸によりドアは前方へ開き、開いたドアに懸かる重力で閉じることが出来るようにしたことを特徴とするものである。
【０００７】請求項３に記載の本発明の実施態様は、押し開きボタンはドアの両面のいづれからでも同じ方向の動作で押し、入る時と出る時にはドアの回転軸が左右入れ替わるようにしたことを特徴とするものである。
【０００８】請求項４に記載の本発明の実施態様は、押し開きボタンにより、ドアの両面のいづれからでも同じ方向の動作で押すことによりドアに設けた軸受けとストッパーが外れて、ドアに設けた二つの軸受けの内いづれか一つの軸受けがフリーになるようにしたストッパーを設け、入る時と出る時にはドアの左右に設けた前記の軸受けのいづれか一方の軸受けを支持軸に係止するようにしたことにより、ドアの回転をするドア軸が左右入れ替わるようにしたことを特徴とするものである。
【０００９】
【発明の実施の形態】本発明の技術的思想は、実施例において次に記載するように具体化されているものである。
【００１０】実施例は、左右の支柱に設けた下部支持軸の軸受けをドアの左右両側に設け、それぞれの軸受け及び下部支持軸並びにドア下部に設けたローラにより自重を支持するようにしたドアである。支柱に設けた下部支持軸と鴨居に設けた上部支持軸は、上部を内側にしてドアの軸が傾斜するようにした。左右のドア軸は、傾斜軸にすると共にこのことによりドアを前方へ開いて閉じる時、常にドアは両面で車椅子の通過者の前方へ開くようにするために、軸を左右独立に機能させることを特徴とする。このようにドア軸を構成した結果として、ドア開時には左右の下部軸受けで交互に支持軸を受け、ドア閉時にはドア下部のローラ及び支持軸でドアの自重を支持するものである。
【００１１】即ち、ドアの両面のいづれからでも押し開きボタンを押すことによりドアは前方へ開くことが出来るようにした。そのためにドア開時には、左右軸のいづれか一方の軸受けをフリーになるようにしてある。一方の軸受けをフリーにすることにより左右の支持軸のどちらか一方の支持軸が外れて、他方の支持軸により開いたドアは、ドアに懸かる重力で閉じることが出来るように、上下の支持軸によりドア軸は傾斜を有するようにした。上部の軸受け及び下部の軸受けにより上下それぞれの支持軸は保持されているが、ドアが開くときにはどちらか一方の軸受けはフリーになり、他方ドア軸になる側の軸受けは支持軸を保持することが必要になる。そのために押し開きボタンは、梃を介してドアに設けた回転軸に動力伝達し、回転軸は梃を介して上部の軸受けをフリーにしたり保持する作用を行うように連動機構になっている。図示しないが、開閉蓋を下部の軸受けに設けて、蓋の開閉作用を前記の回転軸に連動させておくと良い。図１３に図示した下部の軸受けは、１例として示したものである。この軸受けは、下部の支持軸を受けてドアを支持したり、或いは支持軸が外れるようにフリーになる形状を有するものである。このために断面コ字状に限らない。
【００１２】ドアの左右に設けた上下二つの支持軸をそれぞれ傾斜して、入る時と出る時に交互に使用することによってドアの両面のいづれからでも同じ動作で、押し開き、入る時と出る時にはドア軸が左右入れ替って開きそして閉まることが出来る。
【００１３】押し開きボタンを押すことによりドアに設けた軸受けとストッパーの係合が外れて、ドアに設けたいづれか一方のドア軸の軸受けが共にフリーになる。ストッパーは、左右の軸受けに繋がりを持っており、左右同時にストッパーが軸受けから外れるようなことは起きないようにした。従ってストッパーは、軸受けのいづれか一方の軸受けに係合し、ストッパーで係合されている軸受けで支持軸を受けられるようにする。左右の軸受けの一方からストッパーが外れると係合している軸受けの支持軸が軸受けから外れて、軸受けはフリーになるので他方のドアの回転軸が左右入れ替わる。軸受けにスプリングを設けて、フリーなった軸受けの方向を決めておき、ドアを閉じるときに支持軸の受け入れを確実にすることが出来る。
【００１４】
【実施例】添付図面は、本発明の実施例について図示している。図面に基づいて、本発明の実施例について詳細に説明する。
【００１５】
【実施例１】図１，図３に基づいて説明すれば、これは、左右の支柱１７ａ，１７ｂに設けた下部支持軸２ａ，２ｂの軸受け１０ａ，１０ｂを設け、それぞれの軸受け及びドア１の下部ドア枠１３に設けたローラ１４によりドアの自重を支持するものである。左右の支柱１７ａ，１７ｂに設けた下部支持軸２ａ又は２ｂとそれぞれに対応して、ドア軸が傾斜軸となるように鴨居に設けた上部支持軸３ａ又は３ｂは、それぞれ対応する下部支持軸２ａ又は２ｂよりドアの内側に設けてある。このために開閉時のドアの軸は床面上の鉛直線に対して若干傾斜するようにした。左右の傾斜軸は開閉時に軸が左右入れ替わって、ドアは常に通過者の前方へ開くようにするために、ドア軸を左右独立に機能させるようにした。
【００１６】図１，図２，図３，図４，図５，図６に基づいて説明すれば、ドア１の両面より操作されるようにした押し開きボタン５をドアに設けるために、ドア１に穴２２を開けて、そこに筒７を取り付ける。ドアの両面のいづれからでも押し開きボタンを押すことによりドアは前方へ開くことが出来るようにする。筒７内部に入れた押し開きボタン５を両面から押すことが可能になるようにバネ６がピン１６で筒７に取り付けられる。押し開きボタン５に梃１５の一端を設け、その筒７の側面の長穴２６に梃１５を通して、他方の梃の先端部は回転軸８に設けられる。従って、押し開きボタン５をドアの両面のいづれかから押せば、梃１５の作用により回転軸８が回動して、これに設けたもう一つの梃２０を作動して、ケース２１内に設けたストッパー９の切欠部２４ａがコマ１２ａ，１２ｂの切欠部２４ｂから外れて、コマに取り付けた回転軸受け１１ａ，１１ｂの係合がフリーになる。そのためにドア開時には、左右支持軸３ａ又は３ｂのいづれか一方の回転軸受け１１ａ又は１１ｂをフリーになるようにしてある。押し開きボタン５により前記のストッパー９が作動して、これらの回転軸受け１１ａ，１１ｂの一方をフリーにすることにより、左右のドア軸が入れ替わることになる。支持軸のどちらか一方の支持軸が外れて、他方の支持軸をドア軸にしてドアを前方へ押し開くことが出来る。
【００１７】図１，図５に基づいて説明すれば、上部のドア枠１３の左右には軸受け穴２３を設けてあり、そこに回転軸受け１１が入り、これらはそれぞれコマ１２ａ，１２ｂに設けてある。上下二つの支持軸２ａ又は２ｂとそれに対応して設けられる上部支持軸３ａ又は３ｂとをそれぞれ傾斜させるために、鴨居１８に上部支持軸３ａ，３ｂが若干内側に傾斜して取り付けられている。ドアを開いて入る時と出る時に、左右のドア軸は交互に使用することによってドアの両面のいづれからでも同じ手向きの動作で、押し開くことが出来る。図１２に示したようにドア枠及び支柱にはマグネット２５ａ，２５ｂを取り付けて、ドアを閉じるときにドアが一定の位置に閉まるようにしている。
【００１８】
【実施例の機能】以上実施例について詳細に説明したように、ドア前面の押圧板４を押すと押し開きボタン５をどちらか一方の方向に押し、ドア１内部に設けたケース２１内の回転軸受け１１ａ，１１ｂを有するコマ１２ａ，１２ｂの切欠部２４ｂとストッパー９の切欠部２４ａとの係合が外れて、回転軸受け１１ａ，１１ｂがフリーになる。ストッパー９は、コマ１２を介して前記の回転軸受け１１ａ又は１１ｂのいづれか一方の軸受けに係合出来るので、そのストッパーで係合されている軸受けで支持軸３ａ又は３ｂを受けて、そのもう一方はフリーの状態でドアは開けられるものである。開いたドア１は。入る時と出るときには、ドアの傾斜軸は入れ替わり、自重で閉まりながら、マグネットにより常に一定の位置に閉じられるようにした。
【００１９】
【発明の効果】本発明の効果は、請求項１乃至請求項４の各項に記載の構成により次に記載の効果を奏するものである。
【００２０】支柱に設けた支持軸とドアに設けた軸受け及びドア下部に設けたローラにより自重を支持するようにしたドアにおいて、左右支柱に設けたドアの支持軸の内側であってそのドア上部の鴨居に支持軸を設け、それぞれの軸受けをドアに設け、開閉するドアの回転軸は左右独立に機能するようにしたので、ドア両面より同じ動作で押し開きが出来る。
【００２１】ドアの両面のいづれからでも押し開きボタンを押すことによりドアは前方へ開き、開いたドアに懸かる重力で閉じることが出来るので、ドアを開けるために引く動作はなく開閉することが出来る。
【００２２】押し開きボタンはドアの両面のいづれからでも同じ手向きの動作で押し、入る時と出る時にはドアの回転軸が左右入れ替わるようにしたので複雑な動作をする必要がなく車椅子で容易に通過出来る。
【図面の簡単な説明】
【図１】ドアの内部機構を示す正面図
【図２】ドアの内部回転軸受け機構を示す平面図
【図３】ドアの両面で操作する押し開きボタンを示すＡ−Ａ線断面図
【図４】ドアの押し開きボタンの動力を回転軸受けに伝える伝達機構を示すＢ−Ｂ線断面図
【図５】同上Ｃ−Ｃ線断面図
【図６】ドアの押し開きボタンの動力を回転軸受けに伝える伝達機能の全体を示すＤ−Ｄ線断面図
【図７】押し開きボタンの内部構造を示す側面図
【図８】同上正面図
【図９】同上側面図
【図１０】押圧板を備えたドアの正面図
【図１１】押圧板を外したドアの正面図
【図１２】ドアの支持軸及びマグネットを示す正面図
【図１３】支持軸のＥ−Ｅ線断面図
【符号の説明】
１．．．ドア
２，２ａ，２ｂ．．．下部の支持軸
３，３ａ，３ｂ．．．上部の支持軸
４．．．押圧板
５．．．押し開きボタン
６．．．バネ
７．．．筒
８．．．回転軸
９．．．ストッパー
１０，１０ａ，１０ｂ．．．下部の軸受け（コ字状軸受け）
１１，１１ａ，１１ｂ．．．上部の軸受け（回転軸受け）
１２．．．回転軸受けコマ
１３．．．ドア枠
１４．．．ローラ
１５，２０．．．梃
１６．．．ピン
１７，１７ａ，１７ｂ．．．支柱
１８．．．鴨居
１９．．．．．．敷居
２１．．．ケース
２２．．．取り付け穴
２３．．．軸受け穴
２４，２４ａ，２４ｂ．．．切欠部
２５ａ，２５ｂ．．．マグネット
２６．．．長穴
【図１】
2004270284.tif 000003
【図２】
2004270284.tif 000004
【図３】
2004270284.tif 000005
【図４】
2004270284.tif 000006
【図５】
2004270284.tif 000007
【図６】
2004270284.tif 000008
【図７】
2004270284.tif 000009
【図８】
2004270284.tif 000010
【図９】
2004270284.tif 000011
【図１０】
2004270284.tif 000012
【図１１】
2004270284.tif 000013
【図１２】
2004270284.tif 000014
【図１３】
2004270284.tif 000015